(57)【特許請求の範囲】
【請求項１】
使用電力量を計測する三相４線式電力量計において、
Ｒ相配電線，Ｓ相配電線，Ｔ相配電線，中性線を流れるＲ相電流Ｉｒ，Ｓ相電流Ｉｓ，Ｔ相電流Ｉｔ，Ｎ相電流Ｉｎをそれぞれ計測する電流検出部、及び、
Ｒ−Ｓ相間，Ｓ−Ｔ相間，Ｔ−Ｒ相間の位相差をそれぞれ１２０°とみなし、前記電流検出部で検出したＲ相電流，Ｓ相電流とＴ相電流をベクトル合成したものの絶対値とＮ相電流の絶対値との差の絶対値が所定閾値を超えたとき、バイパスタンパリングが発生したと判定するバイパスタンパリング検出手段を備えたことを特徴とする三相４線式電力量計。
【請求項２】
Ｎ相を基準とした各相電圧を計測する電圧検出部、及び、
バイパスタンパリングが発生した相配電線をＲ相配電線としたとき、
バイパスタンパリング電流Ｉｒｂを、
｜Ｉｒｂ｜＝｜｜Ｉｒａ＋Ｉｓ＋Ｉｔ｜−｜Ｉｎ｜｜
但し、Ｉｒａはバイパスタンパリング時の前記電流検出部によるＲ相配電線の計測電流、｜Ｉｒａ＋Ｉｓ＋Ｉｔ｜はＩｒａ，ＩｓとＩｔをベクトル合成したものの絶対値、｜Ｉｎ｜はＮ相電流の絶対値、
で求め、
[Ｉｒｂ]×[Ｖｒ−ｎ]×ｔ
但し、[Ｉｒｂ]はＩｒｂの瞬時値、[Ｖｒ−ｎ]はＮ相を基準としたＲ相電圧Ｖｒ−ｎの瞬時値、ｔはバイパスタンパリングの発生時間、
でバイパスタンパリングされた積算電力量を算出する手段を、さらに備えた請求項１記載の三相４線式電力量計。
【請求項３】
使用電力量を計測する三相４線式電力量計において、
Ｒ相配電線，Ｓ相配電線，Ｔ相配電線，中性線を流れるＲ相電流Ｉｒ，Ｓ相電流Ｉｓ，Ｔ相電流Ｉｔ，Ｎ相電流Ｉｎをそれぞれ計測する電流検出部、
前記電流検出部で計測され、バイパスタンパリング判定前のＲ相電流Ｉｒ，Ｓ相電流Ｉｓ，Ｔ相電流Ｉｔ,Ｎ相電流Ｉｎをそれぞれ記憶する記憶部、及び、
前記電流検出部で計測される相電流におけるバイパスタンパリングを判定する時点の前後において、Ｒ相配電線，Ｓ相配電線，Ｔ相配電線のいずれかの相電流に第１所定閾値より大きい変化があったときの、中性線のＮ相電流変化が第２所定閾値より小さい場合に、バイパスタンパリングが発生したと判定するバイパスタンパリング検出手段を備えたことを特徴とする三相４線式電力量計。
【請求項４】
使用電力量を計測する三相４線式電力量計において、
Ｒ相配電線，Ｓ相配電線，Ｔ相配電線，中性線を流れるＲ相電流Ｉｒ，Ｓ相電流Ｉｓ，Ｔ相電流Ｉｔ，Ｎ相電流Ｉｎをそれぞれ計測する電流検出部、
前記電流検出部で計測され、バイパスタンパリング判定前のＲ相電流Ｉｒ，Ｓ相電流Ｉｓ，Ｔ相電流Ｉｔ,Ｎ相電流Ｉｎをそれぞれ記憶する記憶部、及び、
Ｒ−Ｓ相間，Ｓ−Ｔ相間，Ｔ−Ｒ相間の位相差をそれぞれ１２０°とみなし、前記電流検出部で検出したＲ相電流，Ｓ相電流とＴ相電流をベクトル合成したものの絶対値とＮ相電流の絶対値との差の絶対値が第１所定閾値を超えたとき、かつ、
前記電流検出部で計測される相電流におけるバイパスタンパリングを判定する時点の前後において、Ｒ相配電線，Ｓ相配電線，Ｔ相配電線のいずれかの相電流に第２所定閾値より大きい変化があったときの、中性線のＮ相電流変化が第３所定閾値より小さい場合に、バイパスタンパリングが発生したと判定するバイパスタンパリング検出手段を備えたことを特徴とする三相４線式電力量計。
【請求項５】
電力量計は通信機能と負荷の開閉機能を備えたスマートメーターである請求項１〜請求項４のいずれか１項に記載の三相４線式電力量計。
【発明の詳細な説明】
【技術分野】
【０００１】
本発明は、電力量などを計量する三相４線式電力量計に関し、特に、タンパリング（tampering）検出機能を有するものに係わる。
【背景技術】
【０００２】
電力量計では、通信機能と負荷の開閉機能を備えた電力量計であるスマートメーターを例に説明する。スマートメーターは、電力会社などの電力供給者が、電力需要家（家庭や工場など）に設置し、使用された電力量や電流などの電気量を計量、計測するものである。設置後にスマートメーターに不正配線を実施することで、使用した電力量をごまかし、請求される電力料金を少なくする盗電（タンパリング）がなされることがある。タンパリング方法のひとつであるバイパスタンパリングに対し、従来のスマートメーターは、スマートメーターに接続された配電線の上流側と下流側の電流を計測し、１次元的な差分によってタンパリングを検知していた（例えば、特許文献１参照）。
【先行技術文献】
【特許文献】
【０００３】
【特許文献１】特開２０１０−２０３９２６号公報
【発明の概要】
【発明が解決しようとする課題】
【０００４】
単相回路の場合、配電線の上流側と下流側の電流の差分によりバイパスタンパリングの検出は可能であるが、三相４線式回路の場合は、各相間に位相差があるため、先行技術にある１次元での計算はできず、位相検出が必要になる。しかし、位相検出を行う場合、演算ソフトウェアの処理が複雑になってしまうという問題点があった。【０００５】
本発明は、上記問題点に鑑み、位相検出を行わないで、バイパスタンパリングの検出機能を有する三相４線式電力量計を提供することを目的とするものである。
【課題を解決するための手段】
【０００６】
本発明は、使用電力量を計測する三相４線式電力量計において、Ｒ相配電線，Ｓ相配電線，Ｔ相配電線，中性線を流れるＲ相電流Ｉｒ，Ｓ相電流Ｉｓ，Ｔ相電流Ｉｔ，Ｎ相電流Ｉｎをそれぞれ計測する電流検出部、及び、Ｒ−Ｓ相間，Ｓ−Ｔ相間，Ｔ−Ｒ相間の位相差をそれぞれ１２０°とみなし、前記電流検出部で検出したＲ相電流，Ｓ相電流とＴ相電流をベクトル合成したものの絶対値とＮ相電流の絶対値との差の絶対値が所定閾値を超えたとき、バイパスタンパリングが発生したと判定するバイパスタンパリング検出手段を備えたものである。【０００７】
また、本発明は、使用電力量を計測する三相４線式電力量計において、Ｒ相配電線，Ｓ相配電線，Ｔ相配電線，中性線を流れるＲ相電流Ｉｒ，Ｓ相電流Ｉｓ，Ｔ相電流Ｉｔ，Ｎ相電流Ｉｎをそれぞれ計測する電流検出部、前記電流検出部で計測され、バイパスタンパリング判定前のＲ相電流Ｉｒ，Ｓ相電流Ｉｓ，Ｔ相電流Ｉｔ,Ｎ相電流Ｉｎをそれぞれ記憶する記憶部、及び、前記電流検出部で計測される相電流におけるバイパスタンパリングを判定する時点の前後において、Ｒ相配電線，Ｓ相配電線，Ｔ相配電線のいずれかの相電流に第１所定閾値より大きい変化があったときの、中性線のＮ相電流変化が第２所定閾値より小さい場合に、バイパスタンパリングが発生したと判定するバイパスタンパリング検出手段を備えたものである。【０００８】
さらに、本発明は、使用電力量を計測する三相４線式電力量計において、Ｒ相配電線，Ｓ相配電線，Ｔ相配電線，中性線を流れるＲ相電流Ｉｒ，Ｓ相電流Ｉｓ，Ｔ相電流Ｉｔ，Ｎ相電流Ｉｎをそれぞれ計測する電流検出部、前記電流検出部で計測され、バイパスタンパリング判定前のＲ相電流Ｉｒ，Ｓ相電流Ｉｓ，Ｔ相電流Ｉｔ,Ｎ相電流Ｉｎをそれぞれ記憶する記憶部、及び、Ｒ−Ｓ相間，Ｓ−Ｔ相間，Ｔ−Ｒ相間の位相差をそれぞれ１２０°とみなし、前記電流検出部で検出したＲ相電流，Ｓ相電流とＴ相電流をベクトル合成したものの絶対値とＮ相電流の絶対値との差の絶対値が第１所定閾値を超えたとき、かつ、前記電流検出部で計測される相電流におけるバイパスタンパリングを判定する時点の前後において、Ｒ相配電線，Ｓ相配電線，Ｔ相配電線のいずれかの相電流に第２所定閾値より大きい変化があったときの、中性線のＮ相電流変化が第３所定閾値より小さい場合に、バイパスタンパリングが発生したと判定するバイパスタンパリング検出手段を備えたものである。
【発明の効果】
【０００９】
本発明に係わる三相４線式電力量計によれば、位相検出を行わないで、バイパスタンパリングの検出機能を有する三相４線式電力量計を提供することができる。【００１０】
本発明の前記以外の目的，特徴，観点及び効果は、図面を参照する以下の本発明の詳細な説明から、さらに明らかになるであろう。
【図面の簡単な説明】
【００１１】
【図１】本発明の実施の形態１における三相４線式スマートメーターのバイパスタンパリングの検出原理を説明する図である。
【図２】本発明の実施の形態１における三相４線式スマートメーターの内部回路構成を示すブロック図である。
【図３】本発明の実施の形態１の三相４線式スマートメーターによるバイパスタンパリング検出手順を示すフローチャートである。
【図４】本発明の実施の形態２の三相４線式スマートメーターによるバイパスタンパリング検出手順を示すフローチャートである。
【図５】本発明の実施の形態３の三相４線式スマートメーターによるバイパスタンパリング検出手順を示すフローチャートである。
【発明を実施するための形態】
【００１２】
実施の形態１．
三相４線式電力量計では、通信機能と負荷の開閉機能を備えた電力量計である三相４線式スマートメーターを例に説明する。図１は実施の形態１における三相４線式スマートメーターのバイパスタンパリングの検出原理を説明する図で、その（ａ）はバイパスタンパリングがない正常時を示し、その（ｂ）はバイパスタンパリング時を示す。図２は実施の形態１における三相４線式スマートメーターの内部回路構成を示すブロック図である。図１において、電流Ｉｒ，Ｉｓ，Ｉｔ，Ｉｎは、電源（Ｙ結線）とスマートメーターとを接続するＲ相配電線，Ｓ相配電線，Ｔ相配電線，中性線（中性配電線）をそれぞれ流れるベクトル量であるＲ相電流，Ｓ相電流，Ｔ相電流，Ｎ相電流である。スマートメーターにおける１Ｓ，２Ｓ，３Ｓ，０Ｓは、電源側配電線，中性線にそれぞれ接続される端子、１Ｌ，２Ｌ，３Ｌ，０Ｌは負荷側配電線，中性線にそれぞれ接続される端子である。Ｉｒ，Ｉｓ，Ｉｔ，Ｉｎにおいて、Δｔは電流変化が発生した時間帯である。なお、以下で、タンパリングは、バイパスタンパリングを示すものとする。
【００１３】
タンパリング時の検出原理について、図１を参照しながら説明する。三相４線式回路において、図１に示す矢印の向きを電流の正方向とすると、正常時（ａ）の各相の電流のベクトル和は、次のとおりになる。
Ｉｒ＋Ｉｓ＋Ｉｔ＝Ｉｎ    -----  I式
【００１４】
一方、Ｒ相にタンパリングが発生した時を例に説明する。タンパリングが発生すると、Ｒ相に流れる電流Ｉｒは、バイパス箇所で三相４線式スマートメーター内部に流れ、計測される電流Ｉｒａ（ベクトル量）とスマートメーター外部（バイパス部分）に流れる電流Ｉｒｂ（ベクトル量）に分流するため、次のとおりになる。
Ｉｒ＝Ｉｒａ＋Ｉｒｂ      -----  II式
II式より三相４線式スマートメーター内部に流れる電流Ｉｒａは、正常時に比べＩｒｂ分減少するため、三相４線式スマートメーターで計測される電力量も小さくなり、需要家（家庭や工場など）の支払う電気料金が不正に軽減される。
【００１５】
実施の形態１について、図２、図３を参照しながら説明する。実施の形態１の三相４線式スマートメーターは、本来のスマートメーターとしての機能、すなわち、設置された需要家（家庭や工場など）への電力供給や消費電力量の計量・計測及び負荷の開閉、通信機能などに加え、さらに、タンパリング検出機能を有しており、検出したタンパリング情報を通信機能によりデータコンセントレータ（data  concentrator）へ送信し、データコンセントレータからさらに上位装置へ送信が可能となっている。
【００１６】
図２は、実施の形態１における三相４線式スマートメーターの内部回路構成を示すブロック図である。１０は三相４線式スマートメーターである。電流検出部１は、電流トランスやシャント抵抗器等により構成され、Ｒ相電流Ｉｒ，Ｓ相電流Ｉｓ，Ｔ相電流Ｉｔ，Ｎ相電流Ｉｎをそれぞれ検出し、その電流に正比例した低レベルの電気信号に変換しメータ内部の演算制御部５に出力する。電流検出部１では、各相のベクトル量（瞬時値）を検出し、演算制御部５に出力している。電圧検出部３は電圧トランスや分圧抵抗器等により構成され、Ｎ相を基準としたＲ相電圧Ｖｒ−ｎ，Ｓ相電圧Ｖｓ−ｎ，Ｔ相電圧Ｖｔ−ｎ、（つまりＲ−Ｎ間電圧，Ｓ−Ｎ間電圧，Ｔ−Ｎ間電圧）をそれぞれ検出し、その電圧に正比例した低レベルの電気信号に変換しメータ内部の演算制御部５に出力する。電圧検出部３では、各相のベクトル量（瞬時値）を検出し、演算制御部５に出力している。
【００１７】
演算制御部５では、需要家の積算使用電力量や各時間帯毎の時間帯積算使用電力量等の演算、タンパリングの検出（バイパスタンパリング検出手段による検出）などを行う。需要家の積算使用電力量は、Σ[[[Ｖｒ−ｎ]×[Ｉｒ]＋[Ｖｓ−ｎ]×[Ｉｓ]＋[Ｖｔ−ｎ]×[Ｉｔ]]×ｔ]で求められる。但し、[Ｖｒ−ｎ]，[Ｖｓ−ｎ]，[Ｖｔ−ｎ]，[Ｉｒ]，[Ｉｓ]，[Ｉｔ]は、その電気量の瞬時値、ｔは時間である。
【００１８】
スマートメーター１０は、演算制御部５からの信号により負荷への電路の開閉を行う開閉部２を有している。開閉部２により、テナントが入退去したとき、負荷への電路を閉鎖開放する。また、電力需要家に不正があったときに、負荷への電路を開放する。スマートメーター１０は、さらに、記憶部７，表示部６と通信部４を有している。記憶部７は、ＦＩＦＯテーブル（first  in,  first  out  table）を有し、演算制御部５からの信号により、Ｒ相電流Ｉｒ，Ｓ相電流Ｉｓ，Ｔ相電流Ｉｔ，Ｎ相電流Ｉｎを１００ｍｓｅｃの４倍程度の期間記憶している。記憶部７はタンパリング情報等の各種イベントや需要家の積算使用電力量等の計測情報なども記憶する。表示部６は需要家の積算使用電力量等の計測値，タンパリング情報などをディスプレイに表示する。通信部４は、例えば、電力線搬送通信のためＲ相配電線，Ｓ相配電線，Ｔ相配電線，Ｎ相配電線と接続され、演算制御部５と交信し、積算使用電力量やタンパリング情報を上位装置に連絡すると共に、上位装置からの信号（指示）を受ける。
【００１９】
図１に記載のとおり、タンパリング時（ｂ）にスマートメーター内部を流れる電流、例えばＲ相バイパス時をＩｒａとすると、正常時（ａ）及びタンパリング時（ｂ）のスマートメーター内部に流れる各相電流の関係は、次の式で表される。
正常時          ・・・  Ｉｒ＋Ｉｓ＋Ｉｔ−Ｉｎ＝０・・  I’式
タンパリング時  ・・・  Ｉｒａ＋Ｉｓ＋Ｉｔ−Ｉｎ≠０・  III式
I’式とIII式の違いにより、タンパリングの検知は、各相電流の位相を検出し、ベクトル合成することで、タンパリングの検出は可能だが、位相検出を行う場合、演算ソフトウェアの処理が複雑になる問題がある。そのため、実施の形態１のスマートメーターでは、位相検出を行わないでタンパリングの検出を行う。
【００２０】
図３は、実施の形態１の三相４線式スマートメーターによるバイパスタンパリング検出手順を示すフローチャートである。三相４線式回路の各相間（Ｒ−Ｓ間、Ｓ−Ｔ間、Ｔ−Ｒ間）の位相差は通常１２０°であることから、位相検出は行わないで、前記各相間の位相差を１２０°とみなし、Ｒ相電流，Ｓ相電流とＴ相電流をベクトル合成したものの絶対値とＮ相電流絶対値との差の絶対値が所定閾値Ｄ１より大きいか否か判定する（ステップＳ１１）。なお、所定閾値Ｄ１は、例えば、通常使用時相電流の数％程度に設定する。
すなわち、
｜｜Ｉｒ＋Ｉｓ＋Ｉｔ｜−｜Ｉｎ｜｜＞Ｄ１    -----  IV式
であるか否か判定する。IV式が成立しないときは、スタートに戻り、繰り返し、ステップＳ１１を実行し判定する。繰り返し周期は、例えは、１００ｍ  sec程度である。IV式が成立すると、タンパリングが発生したと判定する（ステップＳ１２）。
【００２１】
そして、タンパリングが発生したと判定すると、表示部６のタンパリング表示器ＬＥＤやＬＣＤ（liquid  Crystal  Display）を点灯する。さらに、通信部４により上位装置へイベント（タンパリング）発生を連絡する（ステップＳ１３）。
また、I式、II式により、次のとおり、例えばＲ相バイパス時のタンパリング電流Irbを算出することができる。
｜Ｉｒｂ｜＝｜｜Ｉｒａ＋Ｉｓ＋Ｉｔ｜−｜Ｉｎ｜｜  -----  V式
但し、Ｉｒａはバイパスタンパリング時の電流検出部１によるＲ相配電線の計測電流、｜Ｉｒａ＋Ｉｓ＋Ｉｔ｜はＩｒａ，ＩｓとＩｔをベクトル合成したものの絶対値、｜Ｉｎ｜はＮ相電流の絶対値である。
【００２２】
このときも、位相検出は行わないで、各相間（Ｒ−Ｓ間、Ｓ−Ｔ間、Ｔ−Ｒ間）の位相差を１２０°とみなし、Ｒ相電流,Ｓ相電流,Ｔ相電流をベクトル合成したものの絶対値とＮ相電流絶対値との差の絶対値より求めている。V式によりタンパリング電流Ｉｒｂが算出できるため、Σ[[Ｖｒ−ｎ]×[Ｉｒｂ]×ｔ]により、タンパリング積算電力量を算出することができ（ステップＳ１４）、電力供給者の需要家に対する不足金請求などの参考値として使用することができる。但し、[Ｖｒ−ｎ]はＮ相を基準としたＲ相配電線の電圧Ｖｒ−ｎの瞬時値、[Ｉｒｂ]はＩｒｂの瞬時値、ｔはタンパリングの発生時間である。
【００２３】
以上のように、位相検出を行わなくてもタンパリングの検出ができ、検出した情報をスマートメーターの通信機能により上位へ通知することができる。また、タンパリングが発生したスマートメーターの場所と相を上位で把握することができ、現地確認作業時間を軽減することができる。さらに、上位からの命令または、スマートメーターの設定で、スマートメーターの開閉機能により負荷の遮断が可能である。
【００２４】
実施の形態２．
図４は実施の形態２の三相４線式スマートメーターによるタンパリング検出手順を示すフローチャートである。タンパリング発生時の各相電流の変化については、図１を参照しながら説明する。I式より、Ｎ相に流れる電流Ｉｎは、Ｒ相，Ｓ相，Ｔ相に流れる電流に依存しているため、正常時（ａ）、例えばＲ相に流れる電流Ｉｒが変化するとＩｎも変化する。しかし、タンパリング時（ｂ）による分流は、タンパリング箇所で発生するのみであり、配電線に流れる電流は変化しないため、Ｉｎは変化しない。
【００２５】
そのため、実施の形態２では、電流検出部1で計測され、タンパリング判定前のＲ相電流Ｉｒ，Ｓ相電流Ｉｓ，Ｔ相電流Ｉｔ,Ｎ相電流Ｉｎを記憶部７にそれぞれ記憶している。図４のとおり、電流検出部１で計測される相電流におけるバイパスタンパリングを判定する時点の前後において、Ｒ相配電線，Ｓ相配電線，Ｔ相配電線のいずれかの相電流に所定閾値Ｅ２より大きい変化があり（ステップＳ２１）、かつ、その時に中性線に流れるＮ相電流の変化が所定閾値Ｆ２より小さい場合（ステップＳ２２）、バイパスタンパリングが発生したと判定する。所定の閾値Ｅ２,Ｆ２は、例えば、通常使用時相電流の数％程度に設定する。
【００２６】
詳しく説明すると、図４において、
｜Ｉｒ｜−｜Ｉｒａ｜＞Ｅ２，
｜Ｉｓ｜−｜Ｉｓａ｜＞Ｅ２，ｏｒ
｜Ｉｔ｜−｜Ｉｔａ｜＞Ｅ２            -----  VI式
Ｒ相，Ｓ相，Ｔ相のいずれかで前記式が成立しなければ、スタートに戻り、ステップＳ２１を繰り返し行う。繰り返し周期は、例えば１００ｍsec程度である。なお、タンパリング判定前のＲ相，Ｓ相，Ｔ相,Ｎ相に流れるベクトル量である相電流Ｉｒ,Ｉｓ,Ｉｔ,Ｉｎは、電流検出部１で測定され、演算制御部５を経由して記憶部７に１００ｍｓｅｃの４倍程度の期間記憶されている。タンパリング判定後（判定時）のＲ相，Ｓ相，Ｔ相,Ｎ相に流れるベクトル量である相電流で、メーター内部に流れる相電流Ｉｒａ,  Ｉｓａ,Ｉｔａ,Ｉｎａは電流検出部１で測定され、演算制御部５に入力される。
【００２７】
Ｒ相，Ｓ相，Ｔ相のいずれかで前記式が成立すれば（ステップＳ２１）、ステップＳ２２で
｜｜Ｉｎａ｜−｜Ｉｎ｜｜＜Ｆ２                -----  VII式
であるか否か判定し、成立すれば、タンパリングが発生したと判定する（ステップＳ２３）。
【００２８】
タンパリングが発生したと判定すると、表示部６のタンパリング表示器ＬＥＤやＬＣＤ（liquid  Crystal  Display）を点灯する。さらに、通信部４により上位装置へイベント（タンパリング）発生を連絡する（ステップ２４）。
【００２９】
なお、ステップＳ２２で、｜｜Ｉｎａ｜−｜Ｉｎ｜｜＜Ｆ２が成立しないときは、スタートに戻り、ステップＳ２１を繰り返し行う。
【００３０】
実施の形態３．
図５は実施の形態３の三相４線式スマートメーターによるタンパリング検出手順を示すフローチャートである。実施の形態１及び実施の形態２では、次のとおり、それぞれにメリットとデメリットがある。
実施の形態１：
メリット    Ｒ相，Ｓ相，Ｔ相の各相電流をベクトル合成しているため、各相で発生する負荷変動による電流変化にも対応できる。
デメリット  各相間の位相差を１２０°としているため、各相に接続されている負荷により位相差が異なる場合、図３のステップＳ１１でのベクトル合成値と実際の負荷電流のベクトル合成値に差が発生し、正常接続時にも関わらずタンパリングを誤検出する可能性がある。
実施の形態２：
メリット    各相毎の電流を監視するため、各相間の位相差に依存せず、タンパリングの監視が可能である。
デメリット  Ｒ相，Ｓ相，Ｔ相の各相の電流変化時のＮ相電流変化を監視しているため、負荷変動による電流変化が発生する環境下では、Ｒ相，Ｓ相，Ｔ相の各相の電流変化とＮ相の電流変化が同時に発生し、正常接続時にも関わらずタンパリングを誤検出する可能性がある。
【００３１】
そこで、図５の検出手順のとおり、実施の形態１と実施の形態２を組合せて使用することにより、実施の形態１及び実施の形態２でのデメリットをカバーし、タンパリングの検出精度を高めることができる。
【００３２】
図５において、位相検出は行わないで、各相間の位相差を１２０°とみなし、Ｒ相電流,Ｓ相電流,Ｔ相電流をベクトル合成したものの絶対値とＮ相電流の絶対値との差の絶対値が所定の閾値Ｄ３より大きいか否か判定する（ステップＳ３１）。所定の閾値Ｄ３は、例えば、通常使用時相電流の数％程度に設定する。
すなわち、
｜｜Ｉｒ＋Ｉｓ＋Ｉｔ｜−｜Ｉｎ｜｜＞Ｄ３    -----  IV式
であるか否か判定する。IV式が成立しないときは、スタートに戻り、繰り返し、ステップＳ３１を実行し判定する。繰り返し周期は、例えは、１００ｍ  sec程度である。
【００３３】
IV式が成立すると、ステップＳ３２で、
｜Ｉｒ｜−｜Ｉｒａ｜＞Ｅ３，
｜Ｉｓ｜−｜Ｉｓａ｜＞Ｅ３，ｏｒ
｜Ｉｔ｜−｜Ｉｔａ｜＞Ｅ３            -----  VI式
Ｒ相，Ｓ相，Ｔ相のいずれかで前記式が成立しなければ、スタートに戻り、ステップＳ３１から繰り返し行う。繰り返し周期は、例えば１００ｍ  sec程度である。なお、タンパリング判定前のＲ相，Ｓ相，Ｔ相,Ｎ相に流れるベクトル量である相電流Ｉｒ,Ｉｓ,Ｉｔ,Ｉｎは、電流検出部１で測定され、演算制御部５を経由して記憶部７に１００ｍｓｅｃの４倍程度の期間記憶されている。タンパリング判定後（判定時）のＲ相，Ｓ相，Ｔ相,Ｎ相に流れるベクトル量である相電流で、メータ内部に流れる相電流Ｉｒａ,  Ｉｓａ,Ｉｔａ,Ｉｎａは電流検出部１で測定され、演算制御部５に入力される。
【００３４】
Ｒ相，Ｓ相，Ｔ相のいずれかで前記式が成立すれば（ステップＳ３２）、ステップＳ３３で
｜｜Ｉｎａ｜−｜Ｉｎ｜｜＜Ｆ３                -----  VII式
であるか否か判定し、成立すれば、タンパリングが発生したと判定する（ステップＳ３４）。
【００３５】
タンパリングが発生したと判定すると、表示部６のタンパリング表示器ＬＥＤやＬＣＤ（liquid  Crystal  Display）を点灯する。さらに、通信部４により上位装置へイベント（タンパリング）発生を連絡する（ステップ３５）。
【００３６】
また、V式より、次のとおり、例えばＲ相バイパス時のタンパリング電流Irbを算出することができる。
｜Ｉｒｂ｜＝｜｜Ｉｒａ＋Ｉｓ＋Ｉｔ｜−｜Ｉｎ｜｜  -----  V式
このときも、位相検出は行わないで、各相間（Ｒ−Ｓ間、Ｓ−Ｔ間、Ｔ−Ｒ間）の位相差を１２０°とみなし、Ｎ相電流絶対値とＲ相電流，Ｓ相電流，Ｔ相電流をベクトル合成したものの絶対値との差より求めている。V式によりタンパリング電流Ｉｒｂが算出できるため、Σ[[Ｖｒ−ｎ]×[Ｉｒｂ]×ｔ]により、タンパリング積算電力量を算出することができ（ステップＳ３６）、電力供給者の需要家に対する不足金請求などの参考値として使用することができる。但し、[Ｖｒ−ｎ]はＮ相を基準としたＲ相配電線の電圧Ｖｒ−ｎの瞬時値、[Ｉｒｂ]はＩｒｂの瞬時値、ｔはタンパリングの発生時間である。
【００３７】
なお、ステップＳ２２で、｜｜Ｉｎａ｜−｜Ｉｎ｜｜＜Ｆ３が成立しないときは、スタートに戻り、ステップＳ３１を繰り返し行う。
なお、本発明は、その発明の範囲内において、各実施の形態を自由に組み合わせたり、各実施の形態を適宜、変形、省略することが可能である。
【産業上の利用可能性】
【００３８】
以上のように、本発明は、電力供給システムに有用であり、特に、タンパリング事例の多い環境下の電力供給システムで使用するスマートメーターに適している。
【要約】
三相４線式電力量計であって、Ｒ相配電線，Ｓ相配電線，Ｔ相配電線，中性線を流れるＲ相電流Ｉｒ，Ｓ相電流Ｉｓ，Ｔ相電流Ｉｔ，Ｎ相電流Ｉｎをそれぞれ計測する電流検出部を備えると共に、Ｒ−Ｓ相間、Ｓ−Ｔ相間、Ｔ−Ｒ相間の位相差をそれぞれ１２０°とみなし、Ｒ相電流，Ｓ相電流及びＴ相電流をベクトル合成したものの絶対値とＮ相電流絶対値との差の絶対値が所定閾値を超えたとき、バイパスタンパリングが発生したと判定するバイパスタンパリング検出手段を備えた。【図１】
0005469284.tif 000002
【図２】
0005469284.tif 000003
【図３】
0005469284.tif 000004
【図４】
0005469284.tif 000005
【図５】
0005469284.tif 000006